【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】
バルブチャンバを有するボディと、バルブチャンバに収容されているロータリバルブとを備えており、
バルブチャンバが、小径部および大径部よりなる円筒状段付周面を有しており、小径部の周壁にその周方向に間隔をおいて入口ポートおよび出口ポートが設けられ、
ロータリバルブが、小径部周面に対しその周方向および軸方向に摺動自在にはめ合わされた外周面を有しており、ロータリバルブに、ロータリバルブの回転にともない、入口ポートおよび出口ポートが交互に接続される充填液通路が設けられ、
移動手段によって、ロータリバルブが小径部に位置させられる充填位置と、ロータリバルブが大径部に位置させられる洗浄位置との間でロータリバルブが移動させられるようになされている液体定量充填装置。
【請求項２】
ボディが、バルブチャンバ周面の軸線を水平とするように配置され、入口ポートが、上向きでありかつ充填液タンクに接続され、出口ポートが、下向きでありかつ充填ノズルに接続され、移動手段によって、ロータリバルブが充填位置および洗浄位置中間のエア抜き位置に位置させられるときに、入口ポートおよび出口ポートが小径部によって連通させられるようになされている請求項１に記載の液体定量充填装置。
【請求項３】
ピストンを内蔵しかつピストンのストロークによりバルブチャンバ内に対し充填液を流出入させる定量シリンダを備えており、
小径部の端壁に、充填液通路と常時接続されるように連通ポートが設けられ、定量シリンダが、連通ポートに連通させられている請求項１または２に記載の液体定量充填装置。
【請求項４】
ボディに、複数のバルブチャンバが並列状に設けられ、
各バルブチャンバに収容されたロータリバルブの大径部側端面に、ロータリバルブの軸方向にのびたロッドの一端が連結され、ロッドの他端が、大径部の端壁を貫通してその外方に突出させられ、各ロッドの外方突出端部にロータリアクチュエータの出力軸が連結され、
移動手段が、各ロータリーアクチュエータのボディがそれぞれ取付けられた連結バーと、連結バーに連結されたピストンロッドを有する可変ストローク流体圧シリンダで構成されている請求項３に記載の液体定量充填装置。
【請求項５】
ピストンを内蔵しかつピストンのストロークによりバルブチャンバ内に対し充填液を流出入させる定量シリンダを備えており、
小径部の周壁に、充填液通路が入口ポートまたは出口ポートと接続されたときに充填液通路に接続されるように連通ポートが設けられ、定量シリンダが、連通ポートに連通させられている請求項１または２に記載の液体定量充填装置。
【請求項６】
ボディに、複数のバルブチャンバが直列状に設けられ、
全てのバルブチャンバに収容されたロータリバルブがともに移動しうるように連結され、列のいずれか一方の端に位置するバルブチャンバに収容されたロータリバルブの大径部側端面に、ロータリバルブの軸方向にのびたロッドの一端が連結され、ロッドの他端が、大径部の端壁を貫通してその外方に突出させられ、各ロッドの外方突出端部にロータリアクチュエータの出力軸が連結され、
移動手段が、ロータリアクチュエータのボディに連結されたピストンロッドを有する可変ストローク流体圧シリンダで構成されている請求項５に記載の液体定量充填装置。
【手続補正２】
【補正対象書類名】明細書
【補正対象項目名】０００５
【補正方法】変更
【補正の内容】
【０００５】
この発明による液体定量充填装置は、バルブチャンバを有するボディと、バルブチャンバに収容されているロータリバルブとを備えており、バルブチャンバが、小径部および大径部よりなる円筒状段付周面を有しており、小径部の周壁にその周方向に間隔をおいて入口ポートおよび出口ポートが設けられ、ロータリバルブが、小径部周面に対しその周方向および軸方向に摺動自在にはめ合わされた外周面を有しており、ロータリバルブに、ロータリバルブの回転にともない、入口ポートおよび出口ポートが交互に接続される充填液通路が設けられ、移動手段によって、ロータリバルブが小径部に位置させられる充填位置と、ロータリバルブが大径部に位置させられる洗浄位置との間でロータリバルブが移動させられるようになされているものである。
【手続補正３】
【補正対象書類名】明細書
【補正対象項目名】０００８
【補正方法】変更
【補正の内容】
【０００８】
さらに、ピストンを内蔵しかつピストンのストロークによりバルブチャンバ内に対し充填液を流出入させる定量シリンダを備えており、
小径部の端壁に、充填液通路と常時接続されるように連通ポートが設けられ、定量シリンダが、連通ポートに連通させられており、ボディに、複数のバルブチャンバが並列状に設けられ、各バルブチャンバに収容されたロータリバルブの大径部側端面に、ロータリバルブの軸方向にのびたロッドの一端が連結され、ロッドの他端が、大径部の端壁を貫通してその外方に突出させられ、各ロッドの外方突出端部にロータリアクチュエータの出力軸が連結され、移動手段が、各ロータリーアクチュエータのボディがそれぞれ取付けられた連結バーと、連結バーに連結されたピストンロッドを有する可変ストローク流体圧シリンダで構成されていると、流体圧シリンダを２段ストロークさせることにより、全てのロータリバルブを、一斉に、充填位置、洗浄位置およびエア抜き位置にそれぞれ位置させることができ、なおかつ、いずれの位置においても、ロータリバルブを回転させることができる。
【手続補正４】
【補正対象書類名】明細書
【補正対象項目名】０００９
【補正方法】変更
【補正の内容】
【０００９】
また、ピストンを内蔵しかつピストンのストロークによりバルブチャンバ内に対し充填液を流出入させる定量シリンダを備えており、小径部の周壁にに、充填液通路が入口ポートまたは出口ポートと接続されたときに充填液通路に接続されるように連通ポートが設けられ、定量シリンダが、連通ポートに連通させられており、ボディに、複数のバルブチャンバが直列状に設けられ、全てのバルブチャンバに収容されたロータリバルブがともに移動しうるように連結され、列のいずれか一方の端に位置するバルブチャンバに収容されたロータリバルブの大径部側端面に、ロータリバルブの軸方向にのびたロッドの一端が連結され、ロッドの他端が、大径部の端壁を貫通してその外方に突出させられ、各ロッドの外方突出端部にロータリアクチュエータの出力軸が連結され、移動手段が、ロータリアクチュエータのボディに連結されたピストンロッドを有する可変ストローク流体圧シリンダで構成されていると、全てのロータリーバルブを、その軸方向および周方向のいずれにも、一斉に移動させることができる。
【手続補正５】
【補正対象書類名】明細書
【補正対象項目名】００２８
【補正方法】変更
【補正の内容】
【００２８】
定量シリンダ36の系統を洗浄する場合、ロータリバルブ37は、図４に示す状態にして、第１充填液通路71を入口ポート45に接続し、第２充填液通路72は閉じておく。一方、図４に示す状態から、ピストン35を大径部63まで後退させて、連通ポート44は開放しておく。こうしておいて、充填液タンク51に洗浄液を、必要に応じ、蒸気等を併用して、供給すると、充填液タンク51からハウジング34内に洗浄液等が流入する。ハウジング34内に流入した洗浄液等は、ロータリバルブ37を介して定量シリンダ36に流入し、定量シリンダ36およびピストン35が洗浄される。洗浄後の洗浄液等は、排水口64から出ていく。
【手続補正６】
【補正対象書類名】明細書
【補正対象項目名】００２９
【補正方法】変更
【補正の内容】
【００２９】
充填ノズル32の系統を洗浄する場合、図４に示すように、ピストン35は前進限に位置させて連通ポート44は閉じておく。一方、ロータリバルブ37は、エア抜き位置に位置させる。この状態で、充填液タンク51に洗浄液等を供給すると、供給された洗浄液等は、ハウジング34内を素通りして、Ｌ字管52を介して充填ノズル32に導かれる。